(57)【特許請求の範囲】
【請求項１】
ボルト挿入孔及び前記ボルト挿入孔と連続した状態でボルトの挿入側に向かって径が漸減する傾斜面が形成されたベースと、
挿入されるボルトの軸方向への動きにつれて前記傾斜面に沿ってスライドしてボルトに噛み込む１または複数のねじ駒と、
前記ねじ駒を縮径方向に付勢する付勢手段と、
前記ベースのボルト挿入方向の下流側に取り付けられ、前記ボルトが挿通可能なカバーと、
前記ねじ駒と係合して前記ベース内での前記ねじ駒の倒れを防止するガイド手段と、が備えられ、
前記ガイド手段は、前記ねじ駒のスライド方向と同じ方向に傾斜したガイド面部を有して前記カバーに形成され、前記ボルトの挿入側に向かって突出するガイド凸部と、前記ねじ駒に形成され前記ガイド面部に係合するガイド溝部とからなり、
前記ボルト挿入孔に前記ボルトが未挿入の状態では、前記ねじ駒が前記ガイド凸部と非接触となっており、前記ボルト挿入孔へ前記ボルトが挿入されることにより前記ねじ駒が軸方向に移動して前記ガイド凸部に接触することを特徴とする簡易締結装置。
【請求項２】
前記ボルト挿入孔に前記ボルトが未挿入の状態では、前記ねじ駒が前記ガイド凸部及び前記付勢手段と非接触となっており、前記ボルト挿入孔へ前記ボルトが挿入されることにより前記ねじ駒が軸方向に移動して前記ガイド凸部及び前記付勢手段に接触することを特徴とする請求項１に記載の簡易締結装置。 
【発明の詳細な説明】
【０００１】
【発明の属する技術分野】
本発明は、電気、機械、建設などの諸設備に用いられ、ワンタッチで挿入、締め付けが可能な簡易締結装置に関する。
【０００２】
【従来の技術】
ワンタッチによる挿入、締め付けが可能な従来の簡易締結装置としては、実公昭５５−４８１７１号公報に記載されたものがある。図１７〜図１９は、この従来の簡易締結装置１００を示し、ベース１１０とねじ駒１２０，１２０と、コイルスプリングからなるばね１３０とを備えている。
【０００３】
ベース１１０は、ボルト１４０が挿入されるものであり、そのためのボルト挿入孔１５０が開口されている。ベース１１０におけるボルト挿入孔１５０には、傾斜面１６０，１６０が連設されている。傾斜面１６０，１６０は、ボルト１４０の挿入側に向って径が漸減するようになっており、それぞれの傾斜面１６０，１６０にねじ駒１２０，１２０が支持されている。
【０００４】
ねじ駒１２０，１２０は、一対となって対向しており、その対向面にはボルト１４０の雄ねじ部１４１に噛み込む雌ねじ部１２１，１２１が長手方向に形成されている。また、ねじ駒１２０，１２０の下部には上述した傾斜面１６０，１６０にスライド自在に摺動するテーパ面１２２，１２２が形成されている。
【０００５】
ばね１３０は、対向している一対のねじ駒１２０，１２０を上方から押圧するようにベース１１０内に挿入されている。このばね１３０によるねじ駒１２０，１２０に対する押圧を可能とするため、ベース１１０の上端部にはカバー１７０が圧入等により固定されている。
【０００６】
このような構造では、ばね１３０をある程度撓ませた状態でカバー１７０をベース１１０に取付けることにより、ねじ駒１２０，１２０がボルト挿入孔１５０の方向に移動するように付勢されている。これに対し、図１８に示すように、ボルト１４０をボルト挿入孔１５０からベース１１０内に差し込むことにより、ねじ駒１２０，１２０がばね１３０のばね力に抗して傾斜面１６０，１６０上を拡径方向にスライドするため、ボルト１４０をねじ駒１２０，１２０の間に挿入することができる。その後、ばね１３０のばね力によりねじ駒１２０，１２０の雌ねじ部１２１，１２１がボルト１４０に噛み込むため、ボルト１４０をワンタッチで締結することができる。
【０００７】
【発明が解決しようとする課題】
しかしながら、従来の簡易締結装置１００では、ボルト１４０の挿入によってねじ駒１２０，１２０がベース１１０内で倒れる不都合がある。図１９は、このねじ駒１２０，１２０の倒れ現象を示しており、挿入されたボルト１４０がねじ駒１２０，１２０を押し上げる際に、矢印で示すようにねじ駒１２０，１２０の上部が相互に接近するように傾いたり、倒れる変位作動を行い、これによりボルト１４０が挿入途中でねじ駒１２０，１２０に引っかかり、この引っかかりによりボルト１４０のワンタッチ締結が難しくなっている。
【０００８】
本発明は、このような従来の問題点を考慮してなされたものであり、ボルト挿入の際におけるねじ駒の傾きや倒れを防止してボルトの円滑な挿入を可能とし、これによりワンタッチ締結を行うことが可能な簡易締結装置を提供することを目的とする。
【０００９】
【課題を解決するための手段】
上記目的を達成するため、本発明による簡易締結装置は、ボルト挿入孔及び前記ボルト挿入孔と連続した状態でボルトの挿入側に向かって径が漸減する傾斜面が形成されたベースと、挿入されるボルトの軸方向への動きにつれて前記傾斜面に沿ってスライドしてボルトに噛み込む１または複数のねじ駒と、前記ねじ駒を縮径方向に付勢する付勢手段と、前記ベースのボルト挿入方向の下流側に取り付けられ、前記ボルトが挿通可能なカバーと、前記ねじ駒と係合して前記ベース内での前記ねじ駒の倒れを防止するガイド手段と、が備えられ、前記ガイド手段は、前記ねじ駒のスライド方向と同じ方向に傾斜したガイド面部を有して前記カバーに形成され、前記ボルトの挿入側に向かって突出するガイド凸部と、前記ねじ駒に形成され前記ガイド面部に係合するガイド溝部とからなり、前記ボルト挿入孔に前記ボルトが未挿入の状態では、前記ねじ駒が前記ガイド凸部と非接触となっており、前記ボルト挿入孔へ前記ボルトが挿入されることにより前記ねじ駒が軸方向に移動して前記ガイド凸部に接触することを特徴とする。
【００１０】
本発明によれば、ねじ駒にガイド手段が係合することにより、ねじ駒が傾くことや倒れることがなくなるため、ボルトがねじ駒に引っかかることがなくなり、ボルトを円滑に挿入することができる。
【００１２】
本発明によれば、ねじ駒が１つの場合、ボルト挿入孔にボルトを挿入することによって、ねじ駒が傾斜面に沿ってスライドするため、ねじ駒とボルト受面との間にボルトが進入することができる。進入したボルトに対し、ねじ駒は付勢部材の付勢力によりボルトに噛み込むため、ボルトを確実に締結することができる。
【００１５】
本発明によれば、ねじ駒が複数の場合、ボルト挿入孔にボルトを挿入することによって、複数のねじ駒が傾斜面に沿ってスライドするため、ねじ駒の間にボルトが進入する。そして、複数のねじ駒は付勢部材の付勢力によりボルトに噛み込むため、ボルトを確実に締結することができる。
【００１８】
本発明によれば、ボルトの挿入によってスライドしたねじ駒のガイド溝部にガイド凸部が係合することにより、ねじ駒の傾きや倒れを防止することができる。ガイド溝部及びガイド凸部からなる簡単な構造のため、ガイド手段を簡単に形成することができる。
【００２０】
本発明によれば、ガイド凸部がベースと別体となっているカバーに形成されるため、ガイド凸部を簡単に形成することができる。
【００２２】
本発明によれば、ガイド面部がねじ駒のスライド方向に沿って傾斜状に形成されることにより、ねじ駒のスライド時における傾きや倒れを確実に防止することができる。
【００２３】
【発明の実施の形態】
以下、本発明を図示する実施の形態により具体的に説明する。なお、各実施の形態において、同一の要素は同一の符号を付して対応させてある。
【００２４】
（実施の形態１）
図１〜図９は、本発明の実施の形態１であり、図１に示すように簡易締結装置１は、ベース２と、ねじ駒３と、カバー４と、ばね片５とを備えている。
【００２５】
ベース２は、ボルト６（図５〜図９参照）が挿入されるものであり、図２に示すようにボルト挿入孔７が軸方向に貫通している。図１における２ａは、ボルト６が挿入されるボルト挿入面である。ベース２の内部には移動用溝部２ｂが形成されている。移動用溝部２ｂは、後述するねじ駒３が移動するためのものであり、ボルト挿入孔７の一部を径方向に拡大することにより形成されている。この移動用溝部２ｂにおけるボルト挿入面２ａ側には傾斜面８が形成されている。
【００２６】
傾斜面８は、ボルト挿入孔７と連続するように形成されており、ボルト挿入面２ａに向って径が漸減する円錐形状となっている。この傾斜面８は後述するねじ駒３をスライドするように支持するものであり、ねじ駒３の外形に沿う形状となっている。従って、ねじ駒３が傾斜面８に沿って移動すると、ねじ駒３が拡縮する。
【００２７】
この実施の形態において、移動用溝部２ｂ（ねじ駒３）と対向するボルト挿入孔７の内面はボルト６と略同曲率の円弧状のボルト受面９となっている。このボルト受面９は、ねじ駒３がボルト６に噛み込む際の反力を受けるものであり、これによりボルト６を確実に締結することができる。
【００２８】
ボルト挿入面２ａと反対側のベース２の端面には、カバー取付凹部２ｃが形成されている。カバー取付凹部２ｃは、非円形となるように形成されており、この実施の形態では、円の両側を平行カットした非円形となっている。なお、この実施の形態のベース２は、外形が六角形のナット形状に成形されているが、これに限らず他の形状であってもよい。
【００２９】
図３に示すようにねじ駒３は、円柱形状を径方向に沿って複数に分割した分割形状となっており、ボルト挿入孔７のボルト受面９との対向面にはボルト６外面の雄ねじ部６ａに噛み込む雌ねじ部３ａが形成されている。また、ねじ駒３の下部には傾斜面８を摺動する円錐状テーパとなった摺動面３ｂが形成されている。この実施の形態において、ねじ駒３としては１個が用いられるものであり、ねじ駒３とボルト受面９との間でボルト６を締結するため、ねじ駒３における雌ねじ部３ａがボルト受面９と対向するようにねじ駒３がベース２内に挿入される。
【００３０】
カバー４は、ベース２のカバー取付凹部２ｃに嵌合することにより、ベース２におけるボルト挿入面２ａとの反対面を封鎖している。カバー４は、図４に示すようにカバー取付凹部２ｃと同様な非円形の外形に形成されており、その中心部分にはボルト６が挿通する挿通孔４ａが形成されている。このカバー４はベース２のカバー取付凹部２ｃに嵌合された後、ベース２の端面を加締めることにより、ベース２に固定される。かかるカバー４にはばね片５及びガイド手段を構成するガイド凸部１０が形成されている。
【００３１】
ばね片５は、カバー４の一部をベース２側に折り曲げることにより、弾性が付与されている。このばね片５は、ベース２内に挿入されたねじ駒３を縮径方向に付勢する付勢手段として機能するものである。このように、ばね片５をカバー４と一体的に形成することにより、簡易締結装置を構成する部品が少なくなり、組立てが容易となるメリットがある。
【００３２】
ガイド凸部１０は、かかるばね片５側に位置するようにカバー４に形成されている。この実施の形態において、ガイド凸部１０はばね片５の両側からベース２方向（ボルト６の挿入側）に突出するように形成されている。かかる、ガイド凸部１０は側面三角形状となっており、上述したベース２の傾斜面８と同じ方向に傾斜するガイド面部１０ａを有している。
【００３３】
ねじ駒３には、このガイド凸部１０と共にガイド手段を構成するガイド溝部１１が形成されている。ガイド溝部１１は、図３に示すようにねじ駒３の上面両側に位置するように設けられており、ガイド凸部１０がそれぞれ係合するようになっている。このガイド凸部１０とガイド溝部１１との係合により、ねじ駒３の倒れを防止することができる。
【００３４】
図５〜図９は、この実施の形態の作動を示している。図５に示すように、ねじ駒３はその雌ねじ部３ａがボルト挿入孔７のボルト受面９と対向するように、ベース２の移動用溝部２ｂ内に挿入される。そして、ボルトが締結していないフリー状態では、ねじ駒３は傾斜面８に支持されている。この支持状態では、ねじ駒３の軸方向と直交した両端部がベース２の内面に当接することにより係止されており、ベース２からの抜け落ちが防止されている。また、軸方向と直交したねじ駒３の両端部はボルト挿入孔７内に突き出ている（図１参照）。
【００３５】
ボルト６は、図示を省略した非締結部材から立設しており、簡易締結装置１をボルト６に接近させることにより、ボルト６がボルト挿入面２ａ側からベース２のボルト挿入孔７に挿入される。この挿入により、図６に示すように、ボルト６がねじ駒３を押し上げる。この押し上げにより、図７に示すように、ねじ駒３が傾斜面８に沿って上方に摺動し、ねじ駒３は拡径方向に移動する。
【００３６】
この拡径方向への移動により、カバー４のガイド凸部１０がねじ駒３のガイド溝部１１にそれぞれ係合する。この係合は、ガイド凸部１０のガイド面部１０ａがガイド溝部１１を摺動することにより行われるものであり、ガイド面部１０ａがベース２の傾斜面８と同じ方向に傾斜していることにより、ガイド凸部１０はねじ駒３がボルト挿入孔７の方向に倒れたり、傾斜する変位作動を阻止する。これによりボルト６はねじ駒３に引っかかることなく、ベース２内に円滑に挿入される。この実施の形態では、ガイド溝部１１がねじ駒３の両側に形成されており、それぞれがガイド凸部１０に係合するため、ねじ駒３の倒れや傾斜を確実に防止することができる。
【００３７】
図８は、ボルト６がベース２内に挿入された状態を示し、カバー４のばね片５がねじ駒３の上端面に弾性的に押圧してねじ駒３を縮径方向に付勢する。この付勢により、ねじ駒３は傾斜面８に沿って縮径方向に移動し、その雌ねじ部３ａがボルト６の雄ねじ部６ａに噛み込む。この噛み込みによって、ボルト６はボルト挿入孔７のボルト受面９に当接して、噛み込みの反力をボルト受面９が受けるため、ねじ駒３は緩むことなくボルト６を確実に締結することができる。図９は挿入されたボルト６が少し下方向に戻り、ねじ駒３の雌ねじ部３ａが、ボルト６の雄ねじ部６ａに噛み込んだ状態を示している。
【００３８】
このような実施の形態では、ガイド手段を構成するガイド凸部１０及びガイド溝部１１が相互に係合してねじ駒３の倒れや傾きを防止するため、ボルト６がねじ駒３に引っかかることがなく、ボルト６を円滑に挿入することができる。これにより、ワンタッチ挿入による締結を確実に行うことができる。またこの実施の形態では、ばね片５がカバー４に一体的に形成されているため、部品点数が少なくなると共に装置全体の軸方向の長さを短くすることができる。
【００３９】
（実施の形態２）
図１０及び図１１は、本発明の実施の形態２を示す。この実施の形態では図１０に示すように、傾斜面８を備えた移動用溝部２ｂがボルト挿入孔７の両側に対向するように形成されている。また、一対のねじ駒３が対向するように傾斜面８に支持されている。一対のねじ駒３は、その雌ねじ部３ａが対向するようにベース２内に挿入されるものである。
【００４０】
それぞれのねじ駒３の上面にはガイド溝部１１が形成されており、図１１に示すように、このガイド溝部１１に係合するガイド凸部１０がねじ駒３の数と対応するようにカバー４に形成されている。さらに、それぞれのねじ駒３を縮径方向に付勢するばね片５がカバー４のねじ駒対応部位に形成されている。
【００４１】
この実施の形態では、ボルト６をボルト挿入面２ａ側からボルト挿入孔７に挿入すると、一対のねじ駒３が傾斜面８に沿って拡径方向に移動する。この移動によりガイド凸部１０がねじ駒３のそれぞれのガイド溝部１１に係合するため、ねじ駒３の倒れや傾きが防止され、ボルト６を円滑に挿入することができる。ボルト６の挿入後においては、一対のねじ駒３のそれぞれがばね片５によって付勢されるため、ボルト６を挟むようにボルト６の両側から噛み込む。このため、ボルト６への締結力が大きくなり、ボルト６を安定して締結することができる。
【００４２】
（実施の形態３）
図１２〜図１６は、本発明の実施の形態３を示す。この実施の形態では、ベース２におけるボルト挿入面２ａの反対側の端部にばね収容溝１２が形成されている。ばね収容溝１２は、所定の長さとなるようにベース２の軸方向に形成されており、コイルばね１３が部分的に挿入される。
【００４３】
コイルばね１３は、ばね収容溝１２に挿入されることにより、その一部がベース２の移動用溝部２ｂ内に位置しており、同溝部２ｂ内に挿入されたねじ駒３を縮径方向に移動するように付勢する。従って、この実施の形態では、カバー４にばね片５が形成されることなく、カバー４の形状が簡単となっている。
【００４４】
カバー４には、ねじ駒３のガイド溝部１１に係合するガイド凸部１０が形成されている。ガイド凸部１０は、ねじ駒３のガイド溝部１１に係合するガイド面部１０ａを有した状態でカバー４からベース２のボルト挿入面２ａに直立状に突出している。
【００４５】
図１２及び図１３はこの実施の形態におけるベース２へのボルト挿入前の状態を、図１４はボルト挿入途中の状態を、図１５はボルト挿入後の状態を、図１６はボルト６が少し下方向に戻り、ねじ駒３の雌ねじ部３ａが、ボルト６の雄ねじ部６ａに噛み込んだ状態を示している。ベース２にボルト６を挿入することにより、ねじ駒３が傾斜面８に沿って拡径方向に移動するが、カバー４のガイド凸部１０がねじ駒３のガイド溝部１１に係合するため、ねじ駒３の傾きや倒れを防止することができる。また、コイルばね１３がねじ駒３を縮径方向に押圧するため、ねじ駒３の雌ねじ部３ａがボルト６に噛み込むことができる。しかも、この噛み込みの反力をボルト挿入孔７のボルト受面９が受けるため、ボルト６を確実に締結することができる。
【００４６】
本発明は、以上の実施の形態に限定されることなく、種々変形が可能である。例えば、ベース２からカバー４を省略することが可能である。この場合には、ガイド凸部１０をベース２におけるねじ駒３の対応部位に形成することにより、ねじ駒３の傾きや倒れを防止することができる。また、ねじ駒３を複数設ける場合には、一対以外の数とすることができる。
【００４７】
【発明の効果】
本発明によれば、ねじ駒にガイド手段が係合して、ねじ駒の倒れを防止するため、ボルトがねじ駒に引っかかることがなくなり、ボルトを円滑に挿入することができる。
【００４８】
本発明によれば、ねじ駒とボルト挿入孔のボルト受面とによってボルトを確実に締結することができると共に、ねじ駒の倒れを防止するため、ボルトがねじ駒に引っかかることがなくなり、ボルトを円滑に挿入することができる。
【００４９】
本発明によれば、複数のねじ駒がボルトに噛み込むため、ボルトを確実に締結することができると共に、ねじ駒の倒れを防止するため、ボルトがねじ駒に引っかかることがなくなり、ボルトを円滑に挿入することができる。
【００５０】
本発明によれば、ガイド手段を簡単に形成することができる。
【００５１】
本発明によれば、ガイド凸部がカバーに形成されるため、ガイド凸部を簡単に形成することができる。
【００５２】
本発明によれば、ねじ駒のスライド時における倒れを確実に防止することができる。
【図面の簡単な説明】
【図１】本発明の実施の形態１を示し、（ａ）は平面図、（ｂ）は縦断面図、（ｃ）は底面図である。
【図２】（ａ）はベースの平面図、（ｂ）は縦断面図である。
【図３】（ａ）はねじ駒の正面図、（ｂ）は平面図、（ｃ）は縦断面図、（ｄ）は底面図である。
【図４】（ａ）はカバーの縦断面図、（ｂ）は平面図である。
【図５】実施の形態１におけるボルト挿入前の状態を示す断面図である。
【図６】実施の形態１におけるボルト挿入時の状態を示す断面図である。
【図７】実施の形態１におけるボルト挿入途中の状態を示す断面図である。
【図８】実施の形態１におけるボルト挿入後の状態を示す断面図である。
【図９】実施の形態１におけるボルト引き抜き状態を示す断面図である。
【図１０】本発明の実施の形態２を示し、（ａ）は平面図、（ｂ）は縦断面図、（ｃ）は底面図である。
【図１１】（ａ）は実施の形態２におけるカバーの縦断面図、（ｂ）は平面図である。
【図１２】実施の形態３におけるボルト挿入前の状態を示す断面図である。
【図１３】実施の形態３におけるボルト挿入時の状態を示す断面図である。
【図１４】実施の形態３におけるボルト挿入途中の状態を示す断面図である。
【図１５】実施の形態３におけるボルト挿入後の状態を示す断面図である。
【図１６】実施の形態３におけるボルト引き抜き状態を示す断面図である。
【図１７】従来の簡易締結装置を示す断面図である。
【図１８】従来の簡易締結装置へのボルト挿入時の断面図である。
【図１９】ねじ駒の倒れを示す断面図である。
【符号の説明】
１    簡易締結装置
２    ベース
２ａ  ボルト挿入面
３    ねじ駒
４    カバー
５    ばね片
６    ボルト
７    ボルト挿入孔
８    傾斜面
９    ボルト受面
１０    ガイド凸部
１０ａ  ガイド面部
１１    ガイド溝部
【図１】
0004697694.tif 000002
【図２】
0004697694.tif 000003
【図３】
0004697694.tif 000004
【図４】
0004697694.tif 000005
【図５】
0004697694.tif 000006
【図６】
0004697694.tif 000007
【図７】
0004697694.tif 000008
【図８】
0004697694.tif 000009
【図９】
0004697694.tif 000010
【図１０】
0004697694.tif 000011
【図１１】
0004697694.tif 000012
【図１２】
0004697694.tif 000013
【図１３】
0004697694.tif 000014
【図１４】
0004697694.tif 000015
【図１５】
0004697694.tif 000016
【図１６】
0004697694.tif 000017
【図１７】
0004697694.tif 000018
【図１８】
0004697694.tif 000019
【図１９】
0004697694.tif 000020